(57)【特許請求の範囲】
【請求項１】
配管を抱持するバンド抱持部と該バンド抱持部の上端部に連接されたバンド端部を有する配管支持具であって、抱持した配管類を、天井スラブ等の取付面から２点又は３点支持する配管吊下支持具において、
２つのバンド抱持部によって配管類を抱持可能であり、該２つのバンド抱持部の下端部分を組式又は蝶番式の如き接続部により拡開可能に接続され、前記バンド端部がタンバックルの如き吊下接続部材に接続されることで吊りボルトからの吊下げが可能な構成の配管支持バンドから成り、
前記２つのバンド抱持部の各々について、
該バンド抱持部の上端部と略中央部との略中間部分を基点として、この略中間部分より上方のバンド抱持部が切起された状態で横方向外側に延伸する上方側係止部が形成され、
且つ、該バンド抱持部の前記上方側係止部の基点部分の下方を基点として、この基点部分より下方のバンド抱持部が切起された状態で横方向外側に延伸する下方側係止部が形成され、
この横方向外側に切起した上方側係止部が下方側係止部の少なくとも一部に重合された状態で重合係止部が形成されており、
更に、前記取付面に一端が固定されて吊下げられる１本又は２本の吊りボルトの如き吊下支持杆の他端を係合可能な透孔が、前記重合係止部の内の少なくとも下方側係止部に形成された構成であること、
を特徴とする配管吊下支持具。
【請求項２】
前記重合係止部の各々が、前記基点から外側水平方向に向かって延伸した形状を有する構成であることを特徴とする請求項１に記載の配管吊下支持具。
【請求項３】
前記重合係止部の各々が、前記基点から外側斜め下方に向かって延伸した形状を有する構成であることを特徴とする請求項１に記載の配管吊下支持具。
【請求項４】
前記重合係止部の各々が、前記基点から外側斜め上方に向かって延伸した状態であると共に、この延伸した部分の中途部分であって且つ前記透孔よりも基点側の部分から外側斜め下方に向かって折曲された状態又は彎曲された状態の構成であることを特徴とする請求項１に記載の配管吊下支持具。
【請求項５】
前記重合係止部の各々が、前記基点から外側水平方向に向かって延伸した状態であると共に、この延伸した部分の中途部分であって且つ前記透孔よりも基点側の部分から外側斜め下方に向かって折曲された状態又は彎曲された状態の構成であることを特徴とする請求項１に記載の配管吊下支持具。
【請求項６】
前記重合係止部の各々が、前記基点から外側水平方向に向かって延伸した状態であると共に、この延伸した部分の中途部分であって且つ前記透孔よりも基点側の部分から内側斜め上方に向かって折曲された状態又は彎曲された状態の構成であることを特徴とする請求項１に記載の配管吊下支持具。
【請求項７】
前記上方側係止部と前記下方側係止部の各々が、その基点部分から前記バンド抱持部の外周面に沿って折り返し横方向外側に延伸するように折曲された状態で重合された構成であることを特徴とする請求項１〜６のいずれかに記載の配管吊下支持具。
【請求項８】
前記取付面に一端が固定された吊りボルトにタンバックルを介して前記バンド端部がボルト・ナット固定され、
前記取付面に一端が固定され、吊下げられる１本又は２本の吊りボルトの如き吊下支持杆の他端が、前記重合係止部の透孔にナットの如き係合手段を用いて係合された状態で、
前記吊りボルトと１本又は２本の吊下支持杆による２点又は３点吊下支持された状態の構成であることを特徴とする請求項１〜７のいずれかに記載の配管吊下支持具。
【発明の詳細な説明】
【技術分野】
【０００１】
本発明は配管吊下支持具に関し、詳しくは天井スラブ等の取付面に、水道管、ガス管、冷・暖房管等の各種配管を２点又は３点吊下支持する配管吊下支持具に関する。
【背景技術】
【０００２】
天井スラブ等の取付面に吊りボルト等の支持部材による吊下支持に加えて前記取付面から斜めに垂設した１本又は２本の吊下支持杆を付加すること等によって２点支持乃至は３点吊下支持したり、或いは２本の吊下支持杆によって２点吊下支持することで防振（防震）構造とした技術としては、例えば、特許文献１〜３に記載のもの等が知られている。
【０００３】
特許文献１に示す技術では、従来構成のままの既存のタンバックル及び配管支持具に装着することで３点吊下支持可能な技術であるが、他部材である２枚の板状部材を必要とするため、かかる部品点数の増加によって現場での部品管理の煩雑さや装着時の手間等が新たに加わることとなっている。
【０００４】
特許文献２及び３に示す技術は、配管支持具のバンド抱持部の外面に吊下支持杆との係合部が設けられているため、新たな部材の追加の問題はなく部品管理等の煩雑さ等は無いが、配管支持具自体のコストが上昇せざるを得ない。
【０００５】
以上のことから、現場での部品管理や装着時の手間等が増すことなく、コストアップを抑制することができる配管吊下支持具の要請があることが判った。
【０００６】
更に本発明者が当該技術について鋭意研究を続けたところ、強い横揺れが発生した場合、配管を抱持した状態で取付面から吊下げられる配管支持具は、取付面と吊りボルトとの接続部、吊りボルトとタンバックルとの接続部、タンバックルと配管支持具との接続部からバンド抱持部の上端部分までの部分、等の箇所に負荷がかかり、特に配管を抱持する部分の直上であるバンド抱持部の上端部分に大きな負荷がかかることが判った。
【０００７】
本発明者の研究によれば、前記特許文献１〜３に示す技術では強い横揺れが発生した際には、取付面と吊りボルトとの接続部、吊りボルトとタンバックルとの接続部、タンバックルと配管支持具との接続部については防振（防震）性を発揮することができるが、バンド抱持部の上端部分での防振（防震）性については不充分な場合があることが判った。
【０００８】
そこで本発明者は、配管を抱持するバンド抱持部の一部を切り起して係止部を形成し、この切起した係止部に、取付面から吊下げられた１本又は２本の吊下げ支持杆を係合可能とすることにより、２点又は３点吊下げ支持可能な配管吊下支持具を先に提案した（特許文献４〜６参照）。
【先行技術文献】
【特許文献】
【０００９】
【特許文献１】特開２００４−１５０４５２号
【特許文献２】実用新案登録第２５２４３４０号
【特許文献３】登録実用新案第３１４８３６１号
【特許文献４】登録実用新案第３１５３１８５号
【特許文献５】登録実用新案第３１５３５４５号
【特許文献６】登録実用新案第３１５３５４６号
【発明の概要】
【発明が解決しようとする課題】
【００１０】
本発明者はかかる技術について更に研究を進めたところ、切起した係止部の強度の点等で改良すべき余地があることを見出した。
【００１１】
そこで本発明の課題は、現場での部品管理や装着時の手間等が増すことなくコストアップを抑制することができ、且つ強い横揺れに対しても防振（防震）性を発揮することができ、しかも切起した係止部の強度がより向上した配管吊下支持具を提供することにある。
【課題を解決するための手段】
【００１２】
上記課題を解決する本発明は下記構成を有する。
【００１３】
１．配管を抱持するバンド抱持部と該バンド抱持部の上端部に連接されたバンド端部を有する配管支持具であって、抱持した配管類を、天井スラブ等の取付面から２点又は３点支持する配管吊下支持具において、
２つのバンド抱持部によって配管類を抱持可能であり、該２つのバンド抱持部の下端部分を組式又は蝶番式の如き接続部により拡開可能に接続され、前記バンド端部がタンバックルの如き吊下接続部材に接続されることで吊りボルトからの吊下げが可能な構成の配管支持バンドから成り、
前記２つのバンド抱持部の各々について、
該バンド抱持部の上端部と略中央部との略中間部分を基点として、この略中間部分より上方のバンド抱持部が切起された状態で横方向外側に延伸する上方側係止部が形成され、
且つ、該バンド抱持部の前記上方側係止部の基点部分の下方を基点として、この基点部分より下方のバンド抱持部が切起された状態で横方向外側に延伸する下方側係止部が形成され、
この横方向外側に切起した上方側係止部が下方側係止部の少なくとも一部に重合された状態で重合係止部が形成されており、
更に、前記取付面に一端が固定されて吊下げられる１本又は２本の吊りボルトの如き吊下支持杆の他端を係合可能な透孔が、前記重合係止部の内の少なくとも下方側係止部に形成された構成であること、
を特徴とする配管吊下支持具。
【００１４】
２．前記重合係止部の各々が、前記基点から外側水平方向に向かって延伸した形状を有する構成であることを特徴とする上記１に記載の配管吊下支持具。
【００１５】
３．前記重合係止部の各々が、前記基点から外側斜め下方に向かって延伸した形状を有する構成であることを特徴とする上記１に記載の配管吊下支持具。
【００１６】
４．前記重合係止部の各々が、前記基点から外側斜め上方に向かって延伸した状態であると共に、この延伸した部分の中途部分であって且つ前記透孔よりも基点側の部分から外側斜め下方に向かって折曲された状態又は彎曲された状態の構成であることを特徴とする上記１に記載の配管吊下支持具。
【００１７】
５．前記重合係止部の各々が、前記基点から外側水平方向に向かって延伸した状態であると共に、この延伸した部分の中途部分であって且つ前記透孔よりも基点側の部分から外側斜め下方に向かって折曲された状態又は彎曲された状態の構成であることを特徴とする上記１に記載の配管吊下支持具。
【００１８】
６．前記重合係止部の各々が、前記基点から外側水平方向に向かって延伸した状態であると共に、この延伸した部分の中途部分であって且つ前記透孔よりも基点側の部分から内側斜め上方に向かって折曲された状態又は彎曲された状態の構成であることを特徴とする上記１に記載の配管吊下支持具。
【００１９】
７．前記上方側係止部と前記下方側係止部の各々が、その基点部分から前記バンド抱持部の外周面に沿って折り返し横方向外側に延伸するように折曲された状態で重合された構成であることを特徴とする上記１〜６のいずれかに記載の配管吊下支持具。
【００２０】
（削除）
【００２１】
（削除）
【００２２】
８．前記取付面に一端が固定された吊りボルトにタンバックルを介して前記バンド端部がボルト・ナット固定され、
前記取付面に一端が固定され、吊下げられる１本又は２本の吊りボルトの如き吊下支持杆の他端が、前記重合係止部の透孔にナットの如き係合手段を用いて係合された状態で、
前記吊りボルトと１本又は２本の吊下支持杆による２点又は３点吊下支持された状態の構成であることを特徴とする上記１〜７のいずれかに記載の配管吊下支持具。
【発明の効果】
【００２３】
請求項１又は８に示す発明によれば、現場での部品管理や装着時の手間等が増すことなくコストアップを抑制することができ、且つ強い横揺れに対しても防振（防震）性を発揮することができ、しかも切起した係止部の強度がより向上した配管吊下支持具を提供することができる。
【００２４】
また、吊りボルトによる吊下支持に加えて、横揺れに対する防振（防震）性を発揮する吊下支持杆を、配管支持具のバンド抱持部の略中間部分より上方に位置する重合係止部に係合する構成によって、配管を抱持する部分であるバンド抱持部を支持することになるので、極めて効果的に横揺れに対する防振（防震）性を発揮させることができる。従って、横揺れ時に生じる、取付面と吊りボルトとの接続部、吊りボルトとタンバックルとの接続部、タンバックルと配管支持具との接続部からバンド抱持部の上端部分までの部分、等の各箇所への負荷を著しく減じることができ、極めて強力な耐震性を発揮させることができる。
【００２５】
更に、重合係止部は、バンド抱持部を切り起こすだけで加工可能であるため、別部材を付加することもないし、切り取り加工等によって廃棄が必要となる部材も生じることもなく、低コスト化が可能なだけでなく、環境適正にも優れている。
【００２６】
特に、重合係止部は、上方側係止部と下方側係止部とを重合させた２枚構成を有するので１枚構成に比して強度が増すことになり、横揺れ時の捻りに対する防振（防震）性をより発揮させることができる。
【００２７】
請求項２に示す発明によれば、吊りボルトと平行状態に吊下げられる吊下支持杆に係合することができる。
【００２８】
請求項３に示す発明によれば、重合係止部の角度を調整することにより吊下支持杆との係合角度等を施工現場の状況に合わせて容易に調整することができる。
【００２９】
請求項４に示す発明によれば、重合係止部の角度を調整することにより吊下支持杆との係合角度等を施工現場の状況に合わせて容易に調整することができる。特に、この重合係止部の角度の調整は、切起し部分の切起し角度と中途部分の折曲角度又は彎曲角度の二箇所で調整することができるので調整の自由度が極めて高い。
【００３０】
更に、重合係止部が中途部分で折曲又は彎曲する構成によって、この折曲又は彎曲した中途部分が横揺れ時に緩衝機能を発揮することになるので振動（震動）を吸収することができる。従って、極めて高い防振（防震）効果を発揮することができる。
【００３１】
請求項５に示す発明によれば、重合係止部の角度を調整することにより吊下支持杆との係合角度等を施工現場の状況に合わせて容易に調整することができる。特に、この重合係止部の角度の調整は、切起し部分の切起し角度と中途部分の折曲角度又は彎曲角度の二箇所で調整することができるので調整の自由度が極めて高い。
【００３２】
更に、重合係止部が中途部分で折曲又は彎曲する構成によって、この折曲又は彎曲した中途部分が横揺れ時に緩衝機能を発揮することになるので振動（震動）を吸収することができる。従って、極めて高い防振（防震）効果を発揮することができる。
【００３３】
請求項６に示す発明によれば、重合係止部の角度を調整することにより吊下支持杆との係合角度等を施工現場の状況に合わせて容易に調整することができる。特に、この重合係止部の角度の調整は、切起し部分の切起し角度と中途部分の折曲角度又は彎曲角度の二箇所で調整することができるので調整の自由度が極めて高い。
【００３４】
更に、重合係止部が中途部分で内側斜め上方に向かって折曲又は彎曲する構成によって、この内側斜め上方に向かって折曲又は彎曲した中途部分が横揺れ時に緩衝機能が強く発揮することになるので振動（震動）を吸収することができる。従って、とりわけ高い防振（防震）効果を顕著に発揮することができる。
【００３５】
請求項７に示す発明によれば、重合係止部の基点部分の強度低下を抑制することができる。
【００３６】
（削除）
【００３７】
（削除）
【図面の簡単な説明】
【００３８】
【図１】本発明に係る配管吊下支持具の一実施例を示す５面図（正面図、平面図、底面図、左側面図、Ａ−Ａ断面図）
【図２】図１に示す配管吊下支持具の使用例の一例を示す概略正面図
【図３】重合係止部の一例を示す要部拡大断面図
【図４】本発明に係る配管吊下支持具の第２実施例を示す５面図（正面図、平面図、底面図、左側面図、Ａ−Ａ断面図）
【図５】図４に示す配管吊下支持具の使用例の一例を示す概略正面図
【図６】本発明に係る配管吊下支持具の第３実施例を示す５面図（正面図、平面図、底面図、左側面図、Ａ−Ａ断面図）
【図７】図６に示す配管吊下支持具の使用例の一例を示す概略正面図
【図８】本発明に係る配管吊下支持具の第４実施例を示す５面図（正面図、平面図、底面図、左側面図、Ａ−Ａ断面図）
【図９】図８に示す配管吊下支持具の使用例の一例を示す概略正面図
【図１０】本発明に係る配管吊下支持具の第５実施例を示す５面図（正面図、平面図、底面図、左側面図、Ａ−Ａ断面図）
【図１１】図１０に示す配管吊下支持具の使用例の一例を示す概略正面図
【図１２】重合係止部の他の例を示す要部拡大断面図
【発明を実施するための形態】
【００３９】
次に、添付の図面に従って本発明を詳細に説明する。
【００４０】
本発明に係る配管吊下支持具（以下、単に支持具と言うこともある。）１は、図１に示すような具体的構成を有し、使用に際しては図２に示すように配管Ｐを抱持した状態で天井スラブ等の取付面２に固定された吊りボルト３及び吊下支持杆４による防振状態で２点又は３点（図２は３点）吊下支持する際に用いるものである。
【００４１】
支持具１の具体的構成としては、図１に示すように、配管吊下支持具本体が２つのバンド抱持部１１・１１によって配管Ｐを抱持状態で支持する一般的な構成及び素材（金属製）の配管支持バンドを基本構成とし、該２つのバンド抱持部１１・１１の下端部分を組式又は蝶番式（本実施例では蝶番式）の如き接続部１２により拡開可能に接続され、前記２つのバンド抱持部１１・１１の上端部から連接されているバンド端部１３・１３がタンバックルの如き吊下接続部材３１に接続されることで吊りボルトからの吊下げが可能な構成の配管支持バンドから成り、
前記２つのバンド抱持部１１・１１の各々について、
該バンド抱持部１１の上端部と略中央部との略中間部分を基点として、この略中間部分より上方のバンド抱持部１１が切起された状態で横方向外側に延伸する上方側係止部１４Ａが形成され、
且つ、該バンド抱持部１１の前記上方側係止部１４Ａの基点部分の下方を基点として、この基点部分より下方のバンド抱持部１１が切起された状態で横方向外側に延伸する下方側係止部１４Ｂが形成され、
この横方向外側に切起した上方側係止部１４Ａが下方側係止部１４Ｂの少なくとも一部に重合することにより重合係止部１４が形成されており、
更に、前記取付面２に一端が固定されて吊下げられる１本又は２本の吊りボルトの如き吊下支持杆４の他端を係合可能な透孔１５が、前記重合係止部１４に形成された構成である。
尚、図１に示す符号１１Ａ・１１Ｂは、重合係止部１４が切り起こされることで孔部となったバンド抱持部１１の被切起し孔部である。
【００４２】
重合係止部１４・１４を構成する上方側係止部１４Ａと下方側係止部１４Ｂの各々は、バンド抱持部１１の上端部と略中央部との略中間部分を基点として切起してから外側に方向に向かって立ち上げる際に、図３に示すように、各々の基点部分から前記バンド抱持部１１・１１の外周面に沿って折り返してから横方向外側に延伸するように折り曲げて重合される構成とすることが好ましい。図３に示す符号１４Ｃは、バンド抱持部１１の外周面に沿って折り返した折り返し部である。かかる構成によれば、重合係止部１４・１４の基点部分の強度低下を抑制することができる。
【００４３】
更に、重合係止部１４・１４を構成する上方側係止部１４Ａと下方側係止部１４Ｂの各々について、各々の切起した基点部分をスポット溶接の如き補強手段を用いて補強する構成が好ましく、かかる構成によれば、切起し部分の破断や裂けを抑制できるので、この切起した起点部分の強度を高くすることができる。
【００４４】
更にまた、重合係止部１４を構成する上方側係止部１４Ａと下方側係止部１４Ｂとは、その重合部分をスポット溶接の如き接合手段を用いて接合する構成が好ましく、かかる構成によれば、重合係止部１４の重合部分の強度を高くすることができる。
【００４５】
次に、前記重合係止部１４の延伸方向構成について第１実施例〜第５実施例に基づき説明する。
【００４６】
図１及び図２に示す第１実施例では、重合係止部１４・１４の各々が、バンド抱持部１１・１１の各々の上端部と略中央部との略中間部分の基点から外側斜め上方に向かって延伸すると共に、この延伸した部分の中途部分１４Ｄであって且つ前記透孔１５よりも基点側の部分から外側斜め下方に向かって折曲又は彎曲する構成となっている。かかる構成によれば、重合係止部１４・１４の中途部分１４Ｄの折曲角度又は彎曲角度を調整することにより吊下支持杆４との係合角度等を施工現場の状況に合わせて容易に調整することができる。
【００４７】
尚、本第１実施例において、重合係止部１４の中途部分１４Ｄから先端部分の彎曲又は折曲方向は、取付面２からの吊下支持杆４（図２参照）の斜め吊下角度に応じて適宜設定されることが好ましく、具体的な角度としては、好ましくはバンド端部１３を下方に延長した線に対して３０〜８５度、より好ましくは４５〜６０度の範囲であり、防振（防震）性の観点から吊下支持杆４の斜め吊下角度は概ね４５度の角度であることが好ましいことから、重合係止部１４の透孔１５が設けられた部分の角度も概ね４５度であることがとりわけ好ましい。尚、この角度設定の際、中途部分１４Ｄの角度だけでなく、バンド抱持部１１の基点部分における切起し角度も併せて調整することで角度設定することが好ましい。
【００４８】
上記構成を有する本発明の配管吊下支持具１の第１実施例の使用に際しては、図２に示すように、天井スラブ等の取付面２に一端が固定された吊りボルト３にタンバックルの如き吊下接続部材３１を介してバンド端部１３をボルト・ナット１６により固定することで支持具１を前記取付面２に吊下支持し、更に、前記取付面２に一端が固定され、斜め吊下げする２本の吊りボルトの如き吊下支持杆４・４の他端を、前記透孔１５・１５にナットの如き係合手段４１を用いて係合することにより、前記吊りボルト３と２本の吊下支持杆４・４による３点吊下支持することができる。
【００４９】
図４及び図５に示す第２実施例では、重合係止部１４・１４の各々が、バンド抱持部１１・１１の各々の上端部と略中央部との略中間部分の基点から外側水平方向に向かって延伸すると共に、この延伸した部分の中途部分１４Ｄであって且つ前記透孔１５よりも基点側の部分から外側斜め下方に向かって折曲又は彎曲する構成となっている。かかる構成によれば、重合係止部１４・１４の中途部分１４Ｄの折曲角度又は彎曲角度を調整することにより吊下支持杆４との係合角度等を施工現場の状況に合わせて容易に調整することができる。
【００５０】
尚、本第２実施例において、重合係止部１４の中途部分１４Ｄから先端部分の彎曲又は折曲方向は、取付面２からの吊下支持杆４（図５参照）の斜め吊下角度に応じて適宜設定されることが好ましく、具体的な角度としては、好ましくはバンド端部１３を下方に延長した線に対して３０〜８５度、より好ましくは４５〜６０度の範囲であり、防振（防震）性の観点から吊下支持杆４の斜め吊下角度は概ね４５度の角度であることが好ましいことから、重合係止部１４の透孔１５が設けられた部分の角度も概ね４５度であることがとりわけ好ましい。
【００５１】
上記構成を有する本発明の配管吊下支持具１の第２実施例の使用に際しては、図５に示すように、天井スラブ等の取付面２に一端が固定された吊りボルト３にタンバックルの如き吊下接続部材３１を介してバンド端部１３をボルト・ナット１６により固定することで支持具１を前記取付面２に吊下支持し、更に、前記取付面２に一端が固定され、斜め吊下げする２本の吊りボルトの如き吊下支持杆４・４の他端を、前記透孔１５・１５にナットの如き係合手段４１を用いて係合することにより、前記吊りボルト３と２本の吊下支持杆４・４による３点吊下支持することができる。
【００５２】
図６及び図７に示す第３実施例では、重合係止部１４・１４の各々が、バンド抱持部１１・１１の各々の上端部と略中央部との略中間部分の基点から外側斜め下方に向かって延伸した形状を有する構成となっている。かかる構成によれば、重合係止部１４・１４の基点部分からの切起し角度を調整することにより吊下支持杆４との係合角度等を施工現場の状況に合わせて容易に調整することができる。
【００５３】
尚、本第３実施例において、重合係止部１４の基点部分からの切起し角度は、取付面２からの吊下支持杆４（図７参照）の斜め吊下角度に応じて適宜設定されることが好ましく、具体的な角度としては、好ましくはバンド端部１３を下方に延長した線に対して３０〜８５度、より好ましくは４５〜６０度の範囲であり、防振（防震）性の観点から吊下支持杆４の斜め吊下角度は概ね４５度の角度であることが好ましいことから、重合係止部１４の角度も概ね４５度であることがとりわけ好ましい。
【００５４】
上記構成を有する本発明の配管吊下支持具１の第３実施例の使用に際しては、図７に示すように、天井スラブ等の取付面２に一端が固定された吊りボルト３にタンバックルの如き吊下接続部材３１を介してバンド端部１３をボルト・ナット１６により固定することで支持具１を前記取付面２に吊下支持し、更に、前記取付面２に一端が固定され、斜め吊下げする２本の吊りボルトの如き吊下支持杆４・４の他端を、前記透孔１５・１５にナットの如き係合手段４１を用いて係合することにより、前記吊りボルト３と２本の吊下支持杆４・４による３点吊下支持することができる。
【００５５】
図８及び図９に示す第４実施例では、重合係止部１４・１４の各々が、バンド抱持部１１・１１の各々の上端部と略中央部との略中間部分の基点から外側水平方向に向かって延伸すると共に、この延伸した部分の中途部分１４Ｄであって且つ前記透孔１５よりも基点側の部分から内側斜め上方に向かって折曲又は彎曲する構成となっている。かかる構成によれば、重合係止部１４・１４の中途部分１４Ｄの折曲角度又は彎曲角度を調整することにより吊下支持杆４との係合角度等を施工現場の状況に合わせて容易に調整することができる。
【００５６】
尚、本第４実施例において、重合係止部１４の中途部分１４Ｄから先端部分の彎曲又は折曲方向は、取付面２からの吊下支持杆４（図９参照）の斜め吊下角度に応じて適宜設定されることが好ましく、具体的な角度としては、好ましくはバンド端部１３を下方に延長した線に対して３０〜８５度、より好ましくは４５〜６０度の範囲であり、防振（防震）性の観点から吊下支持杆４の斜め吊下角度は概ね４５度の角度であることが好ましいことから、重合係止部１４の透孔１５が設けられた部分の角度も概ね４５度であることがとりわけ好ましい。
【００５７】
上記構成を有する本発明の配管吊下支持具１の第４実施例の使用に際しては、図９に示すように、天井スラブ等の取付面２に一端が固定された吊りボルト３にタンバックルの如き吊下接続部材３１を介してバンド端部１３をボルト・ナット１６により固定することで支持具１を前記取付面２に吊下支持し、更に、前記取付面２に一端が固定され、斜め吊下げする２本の吊りボルトの如き吊下支持杆４・４の他端を、前記透孔１５・１５にナットの如き係合手段４１を用いて係合することにより、前記吊りボルト３と２本の吊下支持杆４・４による３点吊下支持することができる。
【００５８】
以上の第１実施例〜第４実施例は、吊下支持杆４の斜め吊下げ支持によって３点支持する態様について説明したが、本発明に用いられる吊下支持杆４は斜め吊下げ支持に限らず、吊りボルト３と平行状態に吊下げられる態様も含むものである。
【００５９】
即ち、図１０及び図１１に示す第５実施例では、重合係止部１４・１４の各々が、バンド抱持部１１・１１の各々の上端部と略中央部との略中間部分の基点から外側水平方向に向かって延伸した形状を有する構成となっている。かかる構成によれば、吊りボルト３と平行状態に吊下げられる吊下支持杆４に係合することができる。
【００６０】
上記構成を有する本発明の配管吊下支持具１の第５実施例の使用に際しては、図１１に示すように、天井スラブ等の取付面２に一端が固定された吊りボルト３にタンバックルの如き吊下接続部材３１を介してバンド端部１３をボルト・ナット１６により固定することで支持具１を前記取付面２に吊下支持し、更に、前記取付面２に一端が固定され、前記吊りボルト３と平行状態で吊下げする２本の吊りボルトの如き吊下支持杆４・４の他端を、前記透孔１５・１５にナットの如き係合手段４１を用いて係合することにより、前記吊りボルト３と２本の吊下支持杆４・４による３点吊下支持することができる。
【００６１】
以上、本発明に係る配管吊下支持具の実施例について説明したが、本発明は上記実施例に限定されず、本発明の範囲内において種々の他の態様を採ることもできる。
【００６２】
例えば、図２に示す上記実施例では、吊下支持杆４を２本としたが、該吊下支持杆４は施工現場の状況等の諸条件に応じて１本であってもよく、かかる諸条件に応じて２つの重合係止部１４・１４のいずれか一方に形成された透孔１５のみに吊下支持杆４を係合することで、吊りボルト３と１本の吊下支持杆４による２点吊下支持とすることもできる。
【００６３】
また、本発明の支持具１は、基本構成をバンド抱持部１１・１１によって配管Ｐを抱持する構成の配管支持具とするが、かかる配管支持具の基本構成としては、この種の配管支持具として公知公用の構成及び素材を有する種々仕様のものを基本構成として採ることができる。例えば、上記実施例では、バンド抱持部１１・１１の接続部１２が蝶番式の構成であるが、組式構成の接続部を有する配管支持具であってもよい。
【００６４】
更に、重合係止部１４に形成される透孔１５は、図１に示すように丸孔でもよいが、重合係止部１４の切起し方向（配管軸直交方向でもある方向）に長径を有する長孔であってもよい。長孔とすることで、透孔１５に係合する吊下支持杆４の斜め角度を長孔の長径方向に微調整することができる。
【００６５】
更にまた、図３に示す実施例では重合係止部１４・１４の切起し構成について、各々の基点部分からバンド抱持部１１・１１の外周面に沿って折り返してから横方向に外側に延伸するように折り曲げる構成であったが、本発明はこの構成に限定されず、例えば、図１２に示すように、重合係止部１４・１４の基点部分においてバンド抱持部１１・１１の外周面に沿わせることなく切起した部分から外側方向に向かって立ち上げ、立ち上がった上方側係止部１４Ａを、同様に立ち上がった下方側係止部１４Ｂの少なくとも一部に重合された構成とすることもできる。
【符号の説明】
【００６６】
１  配管吊下支持具
１１  バンド抱持部
１１Ａ  被切起し孔部
１１Ｂ  被切起し孔部
１２  接続部
１３  バンド端部
１４  重合係止部
１４Ａ  上方側係止部
１４Ｂ  下方側係止部
１４Ｃ  折り返し部
１４Ｄ  中途部分
１５  透孔
１６  ボルト・ナット
２  取付面
３  吊りボルト
３１  吊下接続部材
４  吊下支持杆
４１  係合手段
Ｐ  配管
【要約】      （修正有）【課題】コストアップが抑制でき、強い横揺れに対しても防振性を発揮でき、切起し係止部の強度がより向上した配管吊下支持具を提供する。【解決手段】２つのバンド抱持部１１とバンド端部１３を有する配管吊下支持具において、バンド抱持部の下端部分を接続部により拡開可能に接続され、バンド端部が吊下接続部材に接続されることで吊りボルトからの吊下げが可能な構成の配管支持バンドから成り、２つのバンド抱持部の各々の上端部と略中央部との略中間部分より上方部分を切起す上方側切起し係止部１４Ａと、該上方側切起し係止部の基点部分より下方部分を切起す下方側切起し係止部とを重合してなる重合切起し係止部１４が形成され、重合切起し係止部の内の少なくとも下方側切起し係止部１４Ｂに、吊下支持杆４を係合する透孔１５が形成された。【選択図】図１【図１】
0005900762.tif 000002
【図２】
0005900762.tif 000003
【図３】
0005900762.tif 000004
【図４】
0005900762.tif 000005
【図５】
0005900762.tif 000006
【図６】
0005900762.tif 000007
【図７】
0005900762.tif 000008
【図８】
0005900762.tif 000009
【図９】
0005900762.tif 000010
【図１０】
0005900762.tif 000011
【図１１】
0005900762.tif 000012
【図１２】
0005900762.tif 000013